(57)【要約】【課題】電柱に既に設置されている腕金装置の槍出アームの傾きを防止する。【解決手段】腕金装置補強器具１０１は、第１ストッパ１０２と第２ストッパ１０３と接続機構１０４とを主体に構成される。第１ストッパ１０２は、槍出アーム２０２を水平に保持するために電柱３０１に巻き付け固定される第１保持機構２０４よりも上方で第１固定機構１０５によって電柱３０１の外周面に固定され、槍出アーム２０２が第１保持機構２０４を突き上げる力によって第１保持機構２０４が上方へスライド移動しないよう第１保持機構２０４に干渉する。第２ストッパ１０３は、槍出アーム２０２を支持するアームタイ２０３を保持するために電柱３０１に巻き付け固定される第２保持機構２０５よりも下方で第２固定機構１０５によって電柱３０１の外周面に固定される。接続機構１０４は、第１ストッパ１０２と第２ストッパ１０３とを接続し、これらの間の距離の変化を規制する。【選択図】図１
2009118565.tif 000002
【特許請求の範囲】
【請求項１】
電柱に固定された状態の槍出アームを水平に保持するための第１保持機構が当該電柱に設置される第１設置位置よりも上方で当該電柱の外周面に位置付けられ、当該第１保持機構を干渉する第１ストッパと、
前記第１ストッパを前記電柱に固定する第１固定機構と、
前記槍出アームを水平に支持するアームタイを保持するための第２保持機構が前記電柱に設置される前記第１設置位置より下方である第２設置位置よりも下方で当該電柱の外周面に位置付けられる第２ストッパと、
前記第２ストッパを前記電柱に固定する第２固定機構と、
前記第１ストッパと前記第２ストッパとを接続してこれらの間の距離の変化を規制する接続機構と、
を備える腕金装置補強器具。
【請求項２】
前記第１ストッパおよび前記第２ストッパの少なくとも一は、前記電柱に位置付けられた高さ位置における当該電柱の外周に沿わせて締め付け固定される周回構造をなし、当該周回構造の締め付け力を調節する第１調節機構を備える、請求項１記載の腕金装置補強器具。
【請求項３】
前記接続機構は、前記第１ストッパと前記第２ストッパとの間の距離を調節する第２調節機構を備える、請求項１または２記載の腕金装置補強器具。
【請求項４】
前記第１ストッパおよび前記第２ストッパは、前記電柱の外周に巻き付け可能な帯形状であって、その両端部分には当該電柱に巻き付けられた状態で外側を向く向きに折り曲げ加工された折り曲げ部が形成されているバンドであり、
前記接続機構は、前記バンドが前記電柱に巻き付けられた状態で当該電柱の外周面から突出する二つの折り曲げ部の間に位置付けられる、前記電柱に巻き付けられた状態の二つのバンドを接続するための平板部材であり、
前記第１固定機構および前記第２固定機構は、前記二つの折り曲げ部とその間に位置付けられる前記平板部材とを締結する締結構造である、
請求項１から３のいずれか一に記載の腕金装置補強器具。
【発明の詳細な説明】
【技術分野】
【０００１】
本発明は、電線を架設するために電柱に設置される腕金装置の傾きを防止する腕金装置補強器具に関する。
【背景技術】
【０００２】
従来、特許文献１に記載されているような、電線を架設するために電線に設置される腕金装置が実用化されている。
【０００３】
腕金装置は、電柱から水平に延出し電柱から離反した位置で電線を載置し支持する槍出アーム（特許文献１では腕金部分）と、電柱に巻き付け固定されて槍出アームを水平に保持する第１保持機構としてのバンドとを備える。槍出アームは、その下方をアームタイ（特許文献１では補強用アーム）に支持されて水平に維持されている。アームタイは、電柱に対し鋭角をなすように斜め上方向に傾斜した状態で配置される棒状部材であり、一端側をバンドよりも下方で電柱に巻き付け固定される第２保持機構としての補助バンドに保持され、他端側で槍出アームを支持している。
【０００４】
腕金装置には、特許文献１に記載されているような、槍出アームが電柱の外周面に水平に横付けされるタイプの他に、特許文献２に記載されているような、槍出アームの一端を電柱の外周に当接させて槍出アームが電柱の軸心から放射する方向に向けて水平に位置付けられるタイプもある。
【０００５】
【特許文献１】実用新案登録第２５９５５０３号公報
【特許文献２】実用新案登録第３０９２８６０号公報
【発明の開示】
【発明が解決しようとする課題】
【０００６】
電柱は一般に、上方ほど細くなるテーパ形状をなしている。そのため、電柱に巻きつけられているバンドは、上方から力を受けて下方に押し下げられても下方にスライドしないが、下方から力を受けて上方に突き上げられると上方にスライドし、弛みが生じて、電柱の上方から抜けてしまうおそれがある。
【０００７】
図６は、腕金装置９０１が電柱９０２に設置された状態を示す模式図である。特許文献１および特許文献２に記載されている腕金装置９０１は、電線９０７を載置して支持する槍出アーム９０３と、槍出アーム９０３を水平に保持する第１保持機構としての保持バンド９０４と、槍出アーム９０３を下方から支持するアームタイ９０５と、アームタイ９０５を保持する第２保持機構としての補助バンド９０６とを備えて構成され、保持バンド９０４および補助バンド９０６のそれぞれの締め付け力によって電柱９０２に固定されている。補助バンド９０６は、アームタイ９０５から下方に力を受けており、その位置から動かない。しかしながら、槍出アーム９０３のうち電柱９０２から離反している一端側９０３ｂに電線９０７が載置された場合、槍出アーム９０３には電線９０７の自重Ｗや揺動力による槍出アーム９０３とアームタイ９０５との接続点９０８を中心とするモーメントＭが働く。このモーメントＭは、保持バンド９０４を上方にスライド移動させる力Ｆとして保持バンド９０４に作用する。つまり、保持バンド９０４は、槍出アーム９０３から上向きの力Ｆを受けることになる。その結果、保持バンド９０４は電柱９０２の上方にスライド移動し、保持バンド９０４と補助バンド９０６との間の距離ΔＨが広がり、ついには槍出アーム９０３が傾いて、図６において点線で示すように、電線９０７を安全に保持できなくなってしまう。
【０００８】
ここで、槍出アーム９０３とアームタイ９０５とを長尺部材で接続して固定し、この間の距離ΔＨの変化を規制して槍出アーム９０３が傾くことを防止しようとすると、その取付作業を行う作業員は、電線９０７を流れる電流によって感電したり、作業員が作業中に保持バンド９０４に接触して保持バンド９０４が上方にスライドし槍出アーム９０３が傾いてしまったりする危険が生じる。
【０００９】
本発明の目的は、電柱に既に設置されている腕金装置の槍出アームの傾きを防止することである。
【課題を解決するための手段】
【００１０】
本発明の腕金装置補強器具は、電柱に固定された状態の槍出アームを水平に保持するための第１保持機構が当該電柱に設置される第１設置位置よりも上方で当該電柱の外周面に位置付けられ、当該第１保持機構を干渉する第１ストッパと、前記第１ストッパを前記電柱に固定する第１固定機構と、前記槍出アームを水平に支持するアームタイを保持するための第２保持機構が前記電柱に設置される前記第１設置位置より下方である第２設置位置よりも下方で当該電柱の外周面に位置付けられる第２ストッパと、前記第２ストッパを前記電柱に固定する第２固定機構と、前記第１ストッパと前記第２ストッパとを接続してこれらの間の距離の変化を規制する接続機構と、を備える。
【発明の効果】
【００１１】
本発明の腕金装置補強器具によれば、第１保持機構は槍出アームから上向きの力を受けても第１ストッパに干渉されて電柱の上方にスライド移動することがなく、また、第１保持機構と第２保持機構との間の距離は第１ストッパおよび第２ストッパによって最大距離が規定されこれ以上広がることがないため、槍出アームが傾くことはなく、したがって、電柱に既に設置されている腕金装置の槍出アームの傾きを防止することができる。
【発明を実施するための最良の形態】
【００１２】
本発明の実施の一形態を図１ないし図５に基づいて説明する。
【００１３】
図１は、本実施の形態の腕金装置補強器具１０１が電柱３０１に設置された状態を示す模式図である。
【００１４】
腕金装置補強器具１０１は、電柱３０１に設置される腕金装置２０１の傾きを防止するために用いられる。
【００１５】
電柱３０１に設置される腕金装置２０１は、槍出アーム２０２と、アームタイ２０３と、第１保持機構としての保持バンド２０４と、第２保持機構としての補助バンド２０５とを備えて構成されている。
【００１６】
槍出アーム２０２は、一端側２０２ａを電柱３０１に当接させて電柱３０１の軸心から放射する方向に水平に延出する角柱状部材である。槍出アーム２０２の一端側２０２ａとは反対側の他端側２０２ｂの上面には、電線３０２をバインド線３０３によって捕縛固定するための碍子３０４が接続されている。槍出アーム２０２は、電柱３０１に当接する一端側２０２ａを保持バンド２０４に保持され、また、略中央部分をアームタイ２０３によって支持されて、水平に維持されている。
【００１７】
保持バンド２０４は帯状部材であり、電柱３０１に巻き付け固定されている。保持バンド２０４には槍出アーム２０２を挿通可能な挿通孔２０４ａが形成されている。槍出アーム２０２の一端側２０２ａには、挿通孔２０４ａから挿通されて電柱３０１の外側に向けて延出する槍出アーム２０２が脱落しないように抜け止め加工２０２ｃが施されており、保持バンド２０４は槍出アーム２０２を水平に保持できるようになっている。
【００１８】
アームタイ２０３は、電柱３０１に対し鋭角をなすように斜め上方向に傾斜した状態で配置される棒状部材である。このアームタイ２０３は両端に、回動保持機構２０３ａ、２０３ｂを備える。回動保持機構２０３ａは、アームタイ２０３の一端側２０３ｃに対し槍出アーム２０２を回動自在とする回動軸を備え、アームタイ２０３を槍出アーム２０２に回動自在に接続する。回動保持機構２０３ｂは、アームタイ２０３の他端側２０３ｄと補助バンド２０５の突出保持部２０５ａ（後述）との双方を貫通する回動軸を備え、アームタイ２０３を補助バンド２０５に回動自在に接続する。
【００１９】
補助バンド２０５は帯状部材であり、電柱３０１に巻き付け固定されている。補助バンド２０５には電柱３０１から外側に突出する突出保持部２０５ａが設けられている。補助バンド２０５は、回動保持機構２０３ｂによってアームタイ２０３の他端側２０３ｄを保持している。
【００２０】
腕金装置補強器具１０１は、第１ストッパとしての上側バンド１０２と、第２ストッパとしての下側バンド１０３と、接続部材としての平板部材１０４とを主体に構成される。
【００２１】
上側バンド１０２は、保持バンド２０４が電柱３０１に設置される設置位置よりも上方で、その下辺が電柱３０１の外周面で保持バンド２０４の上辺に接触する位置に位置付けられる。下側バンド１０３は、補助バンド２０５が電柱３０１に設置される設置位置よりも下方で、電柱３０１の外周面に位置付けられる。上側バンド１０２および下側バンド１０３はいずれも帯状部材である。上側バンド１０２および下側バンド１０３はいずれも、電柱３０１の外周面にこれらを締め付け固定するための固定機構１０５と、固定機構１０５による上側バンド１０２および下側バンド１０３の締め付け力を調節するための第１調節機構１０６とを備える。そのため、さまざまな太さの電柱３０１に対して、上側バンド１０２および下側バンド１０３を確実に締め付け固定することができる。固定機構１０５および第１調節機構１０６については、図２ないし図４に基づいて後述する。
【００２２】
平板部材１０４は、これらの間の距離が変化しないように上側バンド１０２と下側バンド１０３とを接続している。平板部材１０４には、上側バンド１０２と下側バンド１０３との間の距離を調節するための第２調節機構１０７を備えている。そのため、上側バンド１０２および下側バンド１０３は、第２調節機構１０７によってその間の距離を調節されて、電柱３０１に設置されているさまざまな形状の腕金装置２０１の保持バンド２０４および補助バンド２０５を挟み込む位置に位置付けることができる。第２調節機構１０７は、図２および図５に基づいて後述する。
【００２３】
腕金装置補強器具１０１および腕金装置２０１を構成する上記の各部はステンレス等の金属で形成され、さらに錆止め加工が施されて、雨風に曝される電柱３０１に設置されても錆びにくくなっている。
【００２４】
図２は、腕金装置補強器具１０１の外観斜視図である。図３は、上側バンド１０２および下側バンド１０３の外観斜視図である。図４は、上側バンド１０２および下側バンド１０３の平面図である。図５は、平板部材１０４の正面図である。
【００２５】
上側バンド１０２は、第１部分バンド１０２ａと第２部分バンド１０２ｂと第３部分バンド１０２ｃとが順に接続されて構成される金属製の帯状部材であり、電柱３０１の外周に沿わせて巻きつけられる周回構造をなす。
【００２６】
第１部分バンド１０２ａの一端側、第２部分バンド１０２ｂの両端側、および、第３部分バンド１０２ｃの一端側には、低頭ボルト１０６ｂのボルト軸が貫通可能な低頭ボルト孔１０６ａが長さ方向に等間隔で直列し５箇所ずつ設けられている。低頭ボルト孔１０６ａは、第１部分バンド１０２ａに設けられる一の低頭ボルト孔１０６ａと第２部分バンド１０２ｂの一端側に設けられる一の低頭ボルト孔１０６ａとの双方を内側から外側に向けて貫通し、外側に突出した低頭ボルト１０６ｂのボルト軸にナット１０６ｃを螺合させて、第１部分バンド１０２ａと第２部分バンド１０２ｂとを接続している。同様に、第２部分バンド１０２ｂおよび第３部分バンド１０２ｃも、低頭ボルト孔１０６ａを内側から外側に貫通する低頭ボルト１０６ｂとそれに螺合するナット１０６ｃとによって接続される。第１部分バンド１０２ａおよび第２部分バンド１０２ｂの双方に低頭ボルト１０６ｂを貫通するための低頭ボルト孔１０６ａの選び方、および、第２部分バンド１０２ｂおよび第３部分バンド１０２ｃの双方に低頭ボルト１０６ｂを貫通するための低頭ボルト孔１０６ａの選び方によって、上側バンド１０２の全体の長さを調節し、上側バンド１０２が電柱３０１に巻き付けられて締め付け固定される際の締め付け力を調整することができる。すなわち、低頭ボルト孔１０６ａと低頭ボルト１０６ｂとナット１０６ｃとは、上側バンド１０２の締め付け力を調節する第１調節機構１０６としての役割を果たす。
【００２７】
第１部分バンド１０２ａおよび第３部分バンド１０２ｃのそれぞれの低頭ボルト孔１０６ａが設けられていない他端側は、折り曲げ加工された折り曲げ部１０８が形成されている。折り曲げ部１０８は、上側バンド１０２が低頭ボルト１０６ｂのボルト頭が露出する面を内側に向けて電柱３０１に巻き付けられた状態で電柱３０１の外周面から外側に向けて突出する向きに上側バンド１０２の両端部分が折り曲げられて形成されている。上側バンド１０２が電柱３０１に巻きつけられると、その両端に位置する二つの折り曲げ部１０８は対面して互いに平行となる位置に位置付けられる。上側バンド１０２の両端の二つの折り曲げ部１０８のいずれにも、長尺ボルト１０５ａを挿通可能な長尺ボルト孔１０５ｃが形成されている。長尺ボルト１０５ａは、第１部分バンド１０２ａの長尺ボルト孔１０５ｃの外側から挿通され、第３部分バンド１０２ｃの長尺ボルト孔１０５ｃを内側から外側へ貫通し、突出した第３部分バンド１０２ｃの折り曲げ部１０８の長尺ボルト１０５ａのボルト軸にナット１０５ｂを螺合させて、第１部分バンド１０２ａと第３部分バンド１０２ｃとを接続している。長尺ボルト１０５ａ、ナット１０５ｂ、および、折り曲げ部１０８に形成された長尺ボルト孔１０５ｃは、上側バンド１０２を電柱３０１に巻き付けて電柱３０１の外周面に締め付け固定する固定機構１０５としての役割を果たす。また、長尺ボルト１０５ａおよびナット１０５ｂは、折り曲げ部１０８とその間に位置付けられる平板部材１０４とを締結する締結構造を構成する。
【００２８】
下側バンド１０３の構造は上側バンド１０２と同一の構造であり、長尺ボルト１０５ａ、ナット１０５ｂ、および、折り曲げ部１０８に形成された長尺ボルト孔１０５ｃにより構成される固定機構１０５によって電柱３０１に固定される。下側バンド１０３の構造については、説明を省略する。
【００２９】
平板部材１０４は、長尺の金属平板であり、長尺ボルト１０５ａが貫通可能な長尺ボルト孔１０７ａが設けられている。長尺ボルト孔１０７ａは、平板部材１０４の一端側に直列をなして等間隔に３つ設けられており、第１ボルト孔群１０７ｂを構成している。また、長尺ボルト孔１０７ａは平板部材１０４の他端側に直列をなして等間隔に４つ設けられており、第２ボルト孔群１０７ｃを構成している。第１ボルト孔群１０７ｂと第２ボルト孔群１０７ｃとの間は、おおよそ電柱３０１に巻き付け固定される腕金装置２０１の保持バンド２０４と補助バンド２０５との間の距離だけ離れている。平板部材１０４は、上側バンド１０２もしくは下側バンド１０３が電柱３０１に巻き付けられた状態で対面する各バンドの両端の折り曲げ部１０８の間に、折り曲げ部１０８と平行をなす向きに位置付けられる。
【００３０】
このように構成される腕金装置補強器具１０１において、上側バンド１０２の下辺を保持バンド２０４の上辺に接触させ低頭ボルト孔１０６ａのボルト頭が露出する側の上側バンド１０２の一面を電柱３０１の外周面に接触させて電柱３０１に巻き付け、その結果電柱３０１から外側に突出して対面する上側バンド１０２の折り曲げ部１０８の間に平板部材１０４を配置し、長尺ボルト１０５ａを、上側バンド１０２を構成している第１部分バンド１０２ａの長尺ボルト孔１０５ｃ、平板部材１０４の第１ボルト孔群１０７ｂを構成する一の長尺ボルト孔１０７ａ、上側バンド１０２を構成している第３部分バンド１０２ｃの長尺ボルト孔１０５ｃの順に貫通した後に、ナット１０５ｂを長尺ボルト孔１０５ｃから突出した長尺ボルト１０５ａに螺合することによって、上側バンド１０２を電柱３０１に締め付け固定することができる。
【００３１】
また、補助バンド２０５よりも下方で低頭ボルト孔１０６ａのボルト頭が露出する側の下側バンド１０３の一面を電柱３０１の外周面に接触させて電柱３０１に巻き付け、その結果電柱３０１から外側に突出して対面する下側バンド１０３の折り曲げ部１０８の間に上側バンド１０２に接続されて垂下している平板部材１０４を位置付けて、長尺ボルト１０５ａを、下側バンド１０３を構成している第１部分バンド１０２ａの長尺ボルト孔１０５ｃ、垂下する平板部材１０４の第２ボルト孔群１０７ｃを構成する一の長尺ボルト孔１０７ａ、下側バンド１０３を構成している第３部分バンド１０２ｃの長尺ボルト孔１０５ｃの順に貫通し、ナット１０５ｂを長尺ボルト孔１０５ｃから突出した長尺ボルト１０５ａに螺合することによって、下側バンド１０３を電柱３０１に締め付け固定することができる。
【００３２】
すなわち、上側バンド１０２は、固定機構１０５および第１調節機構１０６によって、電柱３０１の外周面にフィットした状態で締め付け固定される。下側バンド１０３も、上側バンド１０２と同様に、固定機構１０５および第１調節機構１０６によって、電柱３０１の外周面にフィットした状態で締め付け固定される。また、平板部材１０４は、上側バンド１０２および下側バンド１０３のそれぞれを締め付け固定する長尺ボルト１０５ａに貫通されることで上側バンド１０２と下側バンド１０３とを接続し、上側バンド１０２と下側バンド１０３との間の距離を規定する。そして、第２調節機構１０７によって、上側バンド１０２と下側バンド１０３との間の距離を調節することができる。
【００３３】
このように電柱３０１に設置された本実施の形態の腕金装置補強器具１０１によれば、電柱３０１に巻き付け固定されている保持バンド２０４が槍出アーム２０２から上向きの力を受けてもこの保持バンド２０４の上側部分に接触する上側バンド１０２に干渉されて保持バンド２０４は電柱３０１の上方にスライド移動することがなく、また、保持バンド２０４と補助バンド２０５との間の距離は上側バンド１０２および下側バンド１０３によって最大距離が規定されこれ以上広がることがないため、槍出アーム２０２が傾くことはなく、したがって、電柱３０１に既に設置されている腕金装置２０１の槍出アーム２０２の傾きを防止することができる。
【００３４】
また、本実施の形態の腕金装置補強器具１０１は、電柱３０１に設置されている腕金装置２０１の上下で保持バンド２０４および補助バンド２０５を挟む位置に上側バンド１０２および下側バンド１０３が設置されるため、既設の腕金装置２０１を取り外すことなく腕金装置補強器具１０１を電柱３０１に設置して槍出アーム２０２の傾きを防止することができ、腕金装置補強器具１０１の取り付け作業の手間が短縮され、安全面においても有利である。
【００３５】
さらに、本実施の形態の腕金装置補強器具１０１によれば、第１調節機構１０６によって電柱３０１に上側バンド１０２および下側バンド１０３を締め付け固定する際の締め付け力を調整することができ、また、第２調節機構１０７によって上側バンド１０２と下側バンド１０３との間の距離を調節することが可能になり、したがって、さまざまな形状の電柱３０１について既に設置されている腕金装置２０１に対し、槍出アーム２０２の傾きを防止するために、本実施の形態の腕金装置補強器具１０１を適用することができる。
【００３６】
さらに、本実施の形態の腕金装置補強器具１０１は、上側バンド１０２および下側バンド１０３のいずれにおいても、電柱３０１に巻き付けられた状態で対面する二つの折り曲げ部１０８の間に平板部材１０４が位置付けられ締結構造をなす長尺ボルト１０５ａおよびナット１０５ｂによってこれらが一体的に締結される構造であるため、腕金装置補強器具１０１を電柱３０１に設置する手間が簡略化され、また、腕金装置補強器具１０１は外観上コンパクトにまとまっているために電柱３０１に設置されても看者に対してスッキリした印象を与える。
【図面の簡単な説明】
【００３７】
【図１】腕金装置補強器具が電柱に設置された状態を示す模式図である。
【図２】腕金装置補強器具の外観斜視図である。
【図３】上側バンドおよび下側バンドの外観斜視図である。
【図４】上側バンドおよび下側バンドの平面図である。
【図５】平板部材の正面図である。
【図６】腕金装置が電柱に設置された状態を示す模式図である。
【符号の説明】
【００３８】
１０１…腕金装置補強器具
１０２…上側バンド（第１ストッパ）
１０３…下側バンド（第２ストッパ）
１０４…平板部材（接続機構）
１０５…固定機構（第１固定機構、第２固定機構）
１０５ａ…長尺ボルト（締結構造）
１０５ｂ…ナット（締結構造）
１０６…第１調節機構
１０７…第２調節機構
１０８…折り曲げ部
２０１…腕金装置
２０２…槍出アーム
２０３…アームタイ
２０４…保持バンド（第１保持機構）
２０５…補助バンド（第２保持機構）
３０１…電柱
【図１】
2009118565.tif 000003
【図２】
2009118565.tif 000004
【図３】
2009118565.tif 000005
【図４】
2009118565.tif 000006
【図５】
2009118565.tif 000007
【図６】
2009118565.tif 000008